(57)【要約】【課題】防水・防虫機能を単純化された構造により実現し、製造が容易で施工性に優れ、コストの低減を図ることができ、施工外観に違和感を与えることのない通気防虫役物を提供すること。【解決手段】胴縁固定片２および胴縁固定片の一端から略直角に延設された胴縁下端面当接片３を有し、胴縁下端面当接片において胴縁間に形成される通気層に臨む部位に通気孔５が形成され、壁下地に対向配置可能な開口部８を先端に有する通気間隙７を形成しつつ通気孔を外側から覆うルーバー６が胴縁下端面当接片に配設されている。【選択図】図１
2008291564.tif 000002
【特許請求の範囲】
【請求項１】
壁下地に上下方向に配設された複数本の胴縁の下端間に掛け渡されて配設される通気防虫役物であって、胴縁固定片および胴縁固定片の一端から略直角に延設された胴縁下端面当接片を有し、胴縁下端面当接片において胴縁間に形成される通気層に臨む部位に通気孔が形成され、壁下地に対向配置可能な開口部を先端に有する通気間隙を形成しつつ通気孔を外側から覆うルーバーが胴縁下端面当接片に配設されていることを特徴とする通気防虫役物。
【請求項２】
下端部に基礎水切りが配設された壁下地に上下方向に延びる胴縁が一定間隔で複数本配設され、請求項１に記載の通気防虫役物が、胴縁下端面当接片を胴縁下端面に当接するとともに、胴縁固定片を胴縁前面に当接し、胴縁の下端間に掛け渡されて固定され、通気防虫役物の通気孔が胴縁間に配置され、ルーバーが形成する通気間隙の先端の開口部が壁下地に対向配置され、通気防虫役物の胴縁固定片の前面に後面を重ね合せて外壁材挿入凹部を有する端面カバーが通気防虫役物に配設され、端面カバーの外壁材挿入凹部に下端部を挿入して壁下地の下端部に配置される外壁材が取り付けられていることを特徴とする通気外壁構造。
【発明の詳細な説明】
【技術分野】
【０００１】
本発明は、壁下地と外壁材との間に形成された通気層に基礎側から外気を取り込むとともに、通気層への雨水などの浸入および害虫や小動物などの侵入を抑制する通気防虫役物とこの通気防虫役物を用いた通気外壁構造に関する。
【背景技術】
【０００２】
家屋などの建物の外壁については、基礎側から軒側に抜ける通気層を内部に形成した通気外壁構造が知られており、通気層内に外気を流通させて結露を防止し、また、断熱性の向上などを図っている。外気を取り込むために通気層の下端部は屋外に連通していなければならないが、単に開放するだけでは、通気層に、風雨などにともない雨水などが浸入するおそれがあり、また、害虫や小動物なども侵入するおそれがある。そこで、通気外壁構造には基礎側に防水・防虫機能が付与されており、防水・防虫機能は、一般に、水切りによって実現されている（特許文献１）。
【０００３】
特許文献１に記載された水切りは、上向きに延びた上方部、水平に延びた下方部および上方部と下方部との間に存在し、外壁表面に沿って落下してきた水を水切りするための外側部分と、外気を通すための内側部分とを有する中間部を有する。下方部には、複数の通気口が一定間隔で形成され、外側の端部に下向きの突起が設けられている。また、下方部には、通気口より内側に防蟻部材が固定されている。
【０００４】
上記水切りは、上方部において壁下地に固定され、壁下地の下端部に配設される。外壁内部に形成される通気層は、上記水切りの下方部に形成された通気口を通じて外気と連通し、外気の取込みが可能となる。また、通気口の前方に設けられた下向きの突起により、風雨などにともなう雨水などの通気口への浸入が抑制されるとともに、通気口が隠蔽され、目立たず、下方部に固定された防蟻部材によりシロアリの通気口への侵入が防止される。
【特許文献１】特開２００３−２７６１５号公報
【発明の開示】
【発明が解決しようとする課題】
【０００５】
しかしながら、特許文献１に記載された水切りのように、水切りに防水・防虫機能を持たせると、機能性の向上が望める半面、構造が複雑となる。特許文献１に記載された水切りでは下方部が付加されており、下方部の付加によって水切りの構造が単純でなくなっている。このような構造の複雑化は、水切りの製造に影響を及ぼすばかりでなく、施工性にも反映し、コスト高となるという問題を引き起こす。
【０００６】
また、水切りとして機能するために、特許文献１に記載された水切りでは中間部を外壁材より前方に突出させて配置しなければならず、中間部の突出は外壁材との間に外観上の違和感を与える。この外観上の違和感は水切り全般に共通する問題でもある。
【０００７】
本発明は、以上の通りの事情に鑑みてなされたものであり、防水・防虫機能を単純化された構造により実現し、製造が容易で施工性に優れ、コストの低減を図ることができ、施工外観に違和感を与えることのない通気防虫役物と、この通気防虫役物を用い、通気性、防水性および防虫性を確保しつつ、優れた施工外観を有する外壁を形成することのできる通気外壁構造を提供することを課題としている。
【課題を解決するための手段】
【０００８】
上記の課題を解決するために、本発明の通気防虫役物は、壁下地に上下方向に配設された複数本の胴縁の下端間に掛け渡されて配設される通気防虫役物であって、胴縁固定片および胴縁固定片の一端から略直角に延設された胴縁下端面当接片を有し、胴縁下端面当接片において胴縁間に形成される通気層に臨む部位に通気孔が形成され、壁下地に対向配置可能な開口部を先端に有する通気間隙を形成しつつ通気孔を外側から覆うルーバーが胴縁下端面当接片に配設されていることを特徴としている。
【０００９】
また、本発明の通気外壁構造は、下端部に基礎水切りが配設された壁下地に上下方向に延びる胴縁が一定間隔で複数本配設され、上記の通気防虫役物が、胴縁下端面当接片を胴縁下端面に当接するとともに、胴縁固定片を胴縁前面に当接し、胴縁の下端間に掛け渡されて固定され、通気防虫役物の通気孔が胴縁間に配置され、ルーバーが形成する通気間隙の先端の開口部が壁下地に対向配置され、通気防虫役物の胴縁固定片の前面に後面を重ね合せて外壁材挿入凹部を有する端面カバーが通気防虫役物に配設され、端面カバーの外壁材挿入凹部に下端部を挿入して壁下地の下端部に配置される外壁材が取り付けられていることを特徴としている。
【発明の効果】
【００１０】
本発明の通気防虫役物は、上記の通りの単純な構造を有する役物であり、壁下地に上下方向に配設された複数本の胴縁の下端間に掛け渡されて配設され、通気孔は胴縁間に形成される通気層に臨み、ルーバーが形成する通気間隙の先端の開口部が壁下地に対向配置される。胴縁間に形成される通気層は壁下地の下端部において通気孔および通気間隙を通じて外気と連通し、外気を取り込むことができる。通気孔はルーバーによって外側から覆われ、ルーバーが形成する通気間隙の先端の開口部は壁下地に対向配置されるため、風雨などにともなう雨水などの通気孔への浸入は抑制される。ルーバーは水切りとしても機能し、雨水などを基礎水切りなどに落とすことができる。また、ルーバーにより通気孔への害虫や小動物などの侵入を抑制することができる。
【００１１】
このように、本発明の通気防虫役物によれば、防水・防虫機能が単純化された構造により実現され、したがって、本発明の通気防虫役物は、製造が容易で施工性に優れ、コストの低減を図ることができ、水切り機能を果たしながらも水切りではないので、外壁の施工外観に違和感を与えることがない。また、通気孔はルーバーにより隠蔽され、ルーバーが形成する通気間隙の先端の開口部は壁下地に向かい、視認されないので、外壁の施工外観は良好である。
【００１２】
本発明の通気外壁構造によれば、上記の通りの通気防虫役物によって通気性、防水性および防虫性が実現され、通気防虫役物は水切り機能も果たすため、従来のように水切りを外壁材の前方に突出させて配置する必要はなく、基礎水切りは、基礎の上端部外側を覆う程度の前後寸法のものであればよく、基礎水切りは外壁材の前方に突出しない。したがって、外壁の施工外観が優れたものとなる。
【００１３】
また、壁下地の下端部に取り付けられる外壁材の下端部が端面カバーによりおさめられるので、外壁の施工外観はより優れたものとなる。
【発明を実施するための最良の形態】
【００１４】
図１は、本発明の通気防虫役物の一実施形態を示した要部斜視図である。
【００１５】
図１に示した通気防虫役物１は、壁下地に上下方向に配設された複数本の胴縁の下端間に掛け渡されて配設される長尺の役物である。通気防虫役物１は、胴縁の前面に当接して胴縁に釘、ビスなどの固定具により固定される起立した胴縁固定片２と、胴縁固定片２の下端から略直角に延設され、胴縁の下端面に当接可能な胴縁下端面当接片３とを有している。
【００１６】
このような通気防虫役物１は、一枚の金属薄板４から形成されている。胴縁固定片２の下端において金属薄板４は後方に略直角に折り曲げられ、胴縁下端面当接片３を形成している。胴縁固定片２の上端部および胴縁下端面当接片３の後端部では金属薄板４は内側に折り返され、折り重ねられている。この金属薄板４の折重ねにより胴縁固定片２および胴縁下端面当接片３の剛性を高め、長尺の役物である通気防虫役物１を使用に十分耐えるものとしている。
【００１７】
通気防虫役物１には、胴縁下端面当接片３に通気孔５が開口形成されている。通気孔５は、胴縁下端面当接片３において、壁下地に一定間隔で配設された複数本の胴縁の下端面に当接せず、壁下地と外壁材との間で胴縁により形成される胴縁間に位置する通気層に臨む部位に形成されている。したがって、通気孔５は、胴縁下端面当接片３に複数形成され、各通気孔５は、胴縁下端面当接片３の長手方向に所定間隔で配置されている。通気孔５は、二本の胴縁の間に形成される一つの通気層に一つまたは二つ以上を対応させることができ、形状は、図１に示した胴縁下端面当接片３の長手方向に沿った長穴形状などとすることができる。
【００１８】
通気孔５は、ルーバー６によって外側から覆われている。ルーバー６は、胴縁下端面当接片３の外側に突設されている。図２は、図１に示した通気防虫役物１を上下反転し、ルーバー６を外側から見た要部斜視図である。
【００１９】
図１および図２に示したように、ルーバー６は、通気間隙７を形成しつつ通気孔５を外側から覆っており、ルーバー６が形成する通気間隙７は先端に開口部８を有する。開口部８は、胴縁下端面当接片３の後端に向かって開口し、壁下地に対向配置可能とされている。
【００２０】
金属薄板４から形成されている通気防虫役物１では、通気孔５およびルーバー６は次のようにして形成することができる。
【００２１】
胴縁下端面当接片３の後端部側に通気孔５の大きさに対応して切込み９を入れる。次いで、金属薄板４を外側に引き起こし、折り曲げ、所定のルーバー６の形状に成形する。その結果、通気孔５とともにルーバー６が形成され、ルーバー６によって先端に開口部８を有する通気間隙７が形成される。
【００２２】
このように、通気防虫役物１は、単純化された構造を有し、一枚の金属薄板４から板金加工により製造することができ、製造が容易である。金属薄板４としては、板金加工の容易な厚みを有する鋼板、アルミニウム板などが例示される。もちろん、通気防虫役物１は、金属薄板４以外からも製造することができ、樹脂成形品とすることもできる。樹脂成形品の場合には、胴縁固定片２の上端部および胴縁下端面当接片３の後端部の肉厚を厚くするなどして剛性を確保することができる。
【００２３】
図３は、図１および図２に示した通気防虫役物１を用いた本発明の通気外壁構造の一実施形態を示した要部断面図である。
【００２４】
壁下地１０における基礎１１側の下端部に基礎水切り１２が配設されている。基礎水切り１２は、壁下地１０の左右方向の長さを有する長尺の部材であり、壁下地１０に当接して釘、ビスなどの固定具により固定される起立した固定片１３と、固定片１３の下端から前方斜め下側に向かって延設された傾斜片１４と、傾斜片１４の前端から垂下延設された垂下片１５を有している。垂下片１５の下端部は後方斜め上側に向かっている。基礎水切り１２は、基礎１１の上端部外側を傾斜片１４および垂下片１５によって覆い、傾斜片１４で受けた雨水などを垂下片１５側に排水し、垂下片１５で水切りし、雨水などが壁下地１０に浸入するのを阻止する。
【００２５】
壁下地１０には、上下方向に延びる胴縁１６が、下端を基礎水切り１２の傾斜片１４からやや上方に離して配置して釘などの固定具によって固定されている。胴縁１６は、壁下地１０の左右方向に一定間隔で複数本配設されている。
【００２６】
胴縁１６の下端間に図１および図２に示した通気防虫役物１が掛け渡されて配設されている。通気防虫役物１は、胴縁下端面当接片３を基礎水切り１２の傾斜片１４と胴縁１６の下端との間に挿入し、胴縁１６の下端面に当接するとともに、胴縁固定片２を胴縁１６の前面に当接し、胴縁１６に固定されている。固定は、釘、ビスなどの固定具を用いて行うことができ、胴縁固定片２には、固定具の挿入を可能とする貫通孔を開口形成することができる。貫通孔は通気防虫役物１の製造時に形成することができる。
【００２７】
胴縁１６の下端間に掛け渡され、固定された通気防虫役物１では、図１および図２に示した通気孔５が胴縁１６の下端面と重なり合うことなく胴縁１６の間に配置され、ルーバー６が形成する通気間隙７の先端の開口部８が壁下地１０に対向配置されている。
【００２８】
通気防虫役物１の胴縁固定片２の前面に後面を重ね合せて、外壁材挿入凹部１７を有する端面カバー１８が配設されている。端面カバー１８は、通気防虫役物１の胴縁固定片２の前面に重ね合わされる後面を有する起立した固定片１９と、固定片１９の下端から前方に略直角に延設された支持片２０と、支持片２０の前端から固定片１９と平行に延設された外壁材押さえ片２１とを有している。外壁材押さえ片２１の上下方向の長さは固定片１９の上下方向の長さより十分短く、外壁材押さえ片２１の上端部は後方斜め下側に向かい、外壁材当接部２２を形成している。外壁材挿入凹部１７は、固定片１９、支持片２０および外壁材押さえ片２１により囲まれる端面カバー１８の内側に形成されている。
【００２９】
このような端面カバー１８は、金属、樹脂などから形成することができ、固定片１９において釘、ビスなどの固定具を用い、通気防虫役物１の胴縁固定片２を通じて胴縁１６に固定することができる。端面カバー１８の支持片２０の下面は、通気防虫役物１の胴縁下端面当接片３の下面と同一面上に配置する。
【００３０】
壁下地１０の下端部に配置される外壁材２３が、下端部を端面カバー１８の外壁材挿入凹部１７に挿入して取り付けられている。端面カバー１８の外壁材押さえ片２１が、外壁材当接部２２において外壁材２３の下端部表面に当接し、外壁材２３を押さえ、外壁材２３は安定に取り付けられる。
【００３１】
上記から明らかな通り、図３に示した通気外壁構造の施工手順は、
（１）基礎水切り１２の配設
（２）胴縁１６の配設
（３）通気防虫役物１の配設
（４）端面カバー１８の配設
（５）外壁材２３の取付け
の順である。
【００３２】
外壁材２３の取付けによって、壁下地１０と外壁材２３との間に胴縁１６により通気層２４が形成される。胴縁１６の下端間に掛け渡されて固定された通気防虫役物１では、胴縁下端面当接片３に形成された通気孔５が通気層２４に臨み、ルーバー６が形成する通気間隙７の先端の開口部８が壁下地１０に対向配置されているので、通気層２４は、壁下地１０の下端部において通気孔５および通気間隙７を通じて外気と連通し、図３図中に矢印で示したように、外気を取り込むことができる。通気孔５はルーバー６によって外側から覆われ、ルーバー６が形成する通気間隙７の先端の開口部８は壁下地１０に対向配置されているため、風雨などにともなう雨水などの通気孔５への浸入は抑制される。ルーバー６は水切りとしても機能し、端面カバー１８の支持片２０の下面を伝ってくる雨水などを基礎水切り１２の傾斜片１４に向けて落とすことができる。また、ルーバー６により通気孔５への害虫や小動物などの侵入を抑制することができる。
【００３３】
このように、通気防虫役物１は、防水・防虫機能を十分実現することができ、上記の通りの単純化された構造を有するため、製造が容易で施工性に優れ、コストの低減を図ることができる。また、通気防虫役物１は、水切り機能を有しながらも水切りではなく、図３に示したように外壁材２３の後方に配置され、しかも通気孔５はルーバー６により隠蔽され、ルーバー６が形成する通気間隙７の先端の開口部８は壁下地１０に向かい、視認されないので、外壁の施工外観に違和感を与えることがない。
【００３４】
図３に示した通気外壁構造では、通気防虫役物１によって、上記の通り、通気性、防水性および防虫性が実現され、通気防虫役物１は水切り機能を果たすこともできるため、従来のように水切りを外壁材２３の前方に突出させて配置する必要はなく、基礎水切り１２は、基礎１１の上端部外側を覆う程度の前後寸法のものであればよく、基礎水切り１２は外壁材２３の前方に突出しない。したがって、外壁の施工外観が優れたものとなる。
【００３５】
また、壁下地１０の下端部に取り付けられる外壁材２３の下端部が端面カバー１８によりおさめられるので、外壁の施工外観はより優れたものとなる。端面カバー１８の材質、色合いなどは、外壁材２３に応じて適宜選択することができ、端面カバー１８が外壁の外観に与える影響を最小限に抑えることができる。たとえば、外壁材２３が、金属製の表面材および裏面材の間に芯材が挟み込まれて形成される金属系外壁材の場合、端面カバー１８の材質を金属系外壁材の表面材の材質に合せることができ、一体感の高い外観が得られる。通気防虫役物１の材質も合せることで、より一層外観の一体感は高まる。外壁材２３には、金属系外壁材の他、セメント板などの無機質系外壁材を使用することができる。
【図面の簡単な説明】
【００３６】
【図１】本発明の通気防虫役物の一実施形態を示した要部斜視図である。
【図２】図１に示した通気防虫役物を上下反転し、ルーバーを外側から見た要部斜視図である。
【図３】図１および図２に示した通気防虫役物を用いた本発明の通気外壁構造の一実施形態を示した要部断面図である。
【符号の説明】
【００３７】
１  通気防虫役物
２  胴縁固定片
３  胴縁下端面当接片
５  通気孔
６  ルーバー
７  通気間隙
８  開口部
１０  壁下地
１２  基礎水切り
１６  胴縁
１７  外壁材挿入凹部
１８  端面カバー
２２  外壁材当接部
２３  外壁材
２４  通気層
【図１】
2008291564.tif 000003
【図２】
2008291564.tif 000004
【図３】
2008291564.tif 000005